【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
医療システムであって、前記医療システムが、
マシン実行可能命令を記憶するためのメモリと、
前記医療システムを制御するためのプロセッサと、を備え、前記マシン実行可能命令の実行は、前記プロセッサに、
対象者の関心領域内におけるＲＦ電気特性の第１の空間依存マッピングを記述した第１の電気特性断層撮影データを受信することであって、前記ＲＦ電気特性が、実数値の誘電率又は実数値の導電率である、第１の電気特性断層撮影データを受信することと、
前記対象者の前記関心領域内における空間依存の前記ＲＦ電気特性の第２の空間依存マッピングを記述した第２の電気特性断層撮影データを受信することと、
前記第１の電気特性断層撮影データと前記第２の電気特性断層撮影データとの間の差から導出された前記空間依存のＲＦ電気特性の変化を計算することと、
前記空間依存のＲＦ電気特性の前記変化が所定のしきい値を上回っている前記関心領域内における領域を示すことにより、空間依存アブレーションマップを計算することと、を実行させる、医療システム。
【請求項２】
前記所定のしきい値は、５％と、１０％と、２０％と、５％から２０％の間とのうちのいずれか１つである、請求項１に記載の医療システム。
【請求項３】
前記マシン実行可能命令の実行が、更に、前記プロセッサに、
前記第１の電気特性断層撮影データに対する前記関心領域の第１の空間依存温度マップを受信することと、
前記第２の電気特性断層撮影データに対する前記関心領域の第２の空間依存温度マップを受信することと、を実行させ、
前記空間依存のＲＦ電気特性の前記変化が、前記第１の空間依存温度マップと前記第２の空間依存温度マップとの間の変化を使用して補正された温度である、請求項１又は２に記載の医療システム。
【請求項４】
前記医療システムが、磁気共鳴イメージングシステムを更に備え、前記メモリが、電気特性断層撮影磁気共鳴イメージングプロトコルに従って前記第１の電気特性断層撮影データと前記第２の電気特性断層撮影データとを獲得するように前記磁気共鳴イメージングシステムを制御するＥＰＴパルスシーケンスコマンドを更に記憶し、前記第１の電気特性断層撮影データが、前記ＥＰＴパルスシーケンスコマンドを使用して前記磁気共鳴イメージングシステムを制御することにより受信され、前記第２の電気特性断層撮影データが、前記ＥＰＴパルスシーケンスコマンドを使用して前記磁気共鳴イメージングシステムを制御することにより受信される、請求項１又は２に記載の医療システム。
【請求項５】
前記磁気共鳴イメージングシステムが、イメージングゾーンを含み、前記医療システムが、前記イメージングゾーン内における対象ゾーンを加熱するための組織加熱システムを更に備え、前記組織加熱システムが、前記第１の電気特性断層撮影データと前記第２の電気特性断層撮影データとの獲得の間に前記関心領域内を加熱する、請求項４に記載の医療システム。
【請求項６】
前記組織加熱システムが、高強度集束超音波加熱システムと、ラジオ周波数加熱システムと、マイクロ波アブレーションシステムと、温熱療法システムと、レーザーアブレーションシステムと、赤外線アブレーションシステムとのうちのいずれか１つである、請求項５に記載の医療システム。
【請求項７】
前記組織加熱システムが、前記対象ゾーン内に超音波エネルギーを蓄積するための制御可能な集束を使用する高強度集束超音波システムであり、前記メモリが、前記制御可能な集束の対象決めを制御するための超音波処理コマンドを更に含み、前記超音波処理コマンドが冷却期間により分けられた離散的な超音波処理期間内に前記対象ゾーンを超音波処理するように前記高強度集束超音波システムを制御し、前記マシン実行可能命令の実行が、更に、前記プロセッサに、前記冷却期間の少なくとも一部の間、前記第１の電気特性断層撮影データと前記第２の電気特性断層撮影データとを繰り返し獲得させる、請求項５に記載の医療システム。
【請求項８】
前記マシン実行可能命令の実行が、更に、前記プロセッサに、前記第１の電気特性断層撮影データと前記第２の電気特性断層撮影データとの獲得後に前記空間依存アブレーションマップを使用して、前記超音波処理コマンドを修正させる、請求項７に記載の医療システム。
【請求項９】
前記メモリが、磁気共鳴イメージング温度測定プロトコルに従って第１の熱的磁気共鳴データと第２の熱的磁気共鳴データとを獲得するように前記磁気共鳴イメージングシステムを制御する温度感受性パルスシーケンスコマンドを更に記憶し、前記マシン実行可能命令の実行が、更に、前記プロセッサに、
前記温度感受性パルスシーケンスコマンドを使用して前記第１の熱的磁気共鳴データを獲得するように前記磁気共鳴イメージングシステムを制御することであって、前記第１の熱的磁気共鳴データが、前記第１の電気特性断層撮影データが獲得されたときの所定の期間内に獲得され、第１の空間依存温度マップが、前記第１の熱的磁気共鳴データから前記第１の空間依存温度マップを再構成することにより受信される、前記第１の熱的磁気共鳴データを獲得するように前記磁気共鳴イメージングシステムを制御することと、
前記温度感受性パルスシーケンスコマンドを使用して前記第２の熱的磁気共鳴データを獲得するように前記磁気共鳴イメージングシステムを制御することであって、前記第２の熱的磁気共鳴データが、前記第２の電気特性断層撮影データが獲得されたときの所定の期間内に獲得され、第２の空間依存温度マップが、前記第２の熱的磁気共鳴データから前記第２の空間依存温度マップを再構成することにより受信される、前記第２の熱的磁気共鳴データを獲得するように前記磁気共鳴イメージングシステムを制御することと、を実行させる、請求項４から７のいずれか一項に記載の医療システム。
【請求項１０】
前記空間依存のＲＦ電気特性が、１ＭＨｚから３ＧＨｚの間の、又は、１０ＭＨｚから５００ＭＨｚの間の周波数において特定される、請求項１から９のいずれか一項に記載の医療システム。
【請求項１１】
対象者の関心領域内におけるＲＦ電気特性の第１の空間依存マッピングを記述した第１の電気特性断層撮影データを受信するステップであって、前記ＲＦ電気特性が、実数値の誘電率又は実数値の導電率である、第１の電気特性断層撮影データを受信するステップと、
前記関心領域内における空間依存の前記ＲＦ電気特性の第２の空間依存マッピングを記述した第２の電気特性断層撮影データを受信するステップと、
前記第１の電気特性断層撮影データと前記第２の電気特性断層撮影データとの間の差から導出された前記空間依存のＲＦ電気特性の変化を計算するステップと、
前記空間依存のＲＦ電気特性の前記変化が所定のしきい値を上回っている前記関心領域内における領域を示すことにより空間依存アブレーションマップを計算するステップと、
を有する、医療システムを動作させる方法。
【請求項１２】
医療器具を制御するプロセッサによる実行のためのマシン実行可能命令を含むコンピュータプログラムであって、前記マシン実行可能命令の実行が、前記プロセッサに、
対象者の関心領域内におけるＲＦ電気特性の第１の空間依存マッピングを記述した第１の電気特性断層撮影データを受信することであって、前記ＲＦ電気特性が、実数値の誘電率又は実数値の導電率である、第１の電気特性断層撮影データを受信することと、
前記対象者の前記関心領域内における空間依存の前記ＲＦ電気特性の第２の空間依存マッピングを記述した第２の電気特性断層撮影データを受信することと、
前記第１の電気特性断層撮影データと前記第２の電気特性断層撮影データとの間の差から導出された前記空間依存のＲＦ電気特性の変化を計算することと、
前記空間依存のＲＦ電気特性の前記変化が所定のしきい値を上回っている前記関心領域内における領域を示すことにより、空間依存アブレーションマップを計算することと、を実行させる、コンピュータプログラム。
【請求項１３】
前記医療器具が、磁気共鳴イメージングシステムを更に備え、前記第１の電気特性断層撮影データが、ＥＰＴパルスシーケンスコマンドを使用して前記磁気共鳴イメージングシステムを制御することにより受信され、前記ＥＰＴパルスシーケンスコマンドが、電気特性断層撮影磁気共鳴イメージングプロトコルに従って前記第１の電気特性断層撮影データと前記第２の電気特性断層撮影データとを獲得するように前記磁気共鳴イメージングシステムを制御し、前記第２の電気特性断層撮影データが、前記ＥＰＴパルスシーケンスコマンドを使用して前記磁気共鳴イメージングシステムを制御することにより受信される、請求項１２に記載のコンピュータプログラム。
【請求項１４】
前記医療器具が、対象ゾーン内に超音波エネルギーを蓄積するための制御可能な集束を使用する高強度集束超音波システムを更に備え、前記対象ゾーンが、イメージングゾーン内にあり、前記高強度集束超音波システムが、前記第１の電気特性断層撮影データと前記第２の電気特性断層撮影データとの前記獲得の間に前記関心領域内を加熱し、メモリが、前記制御可能な集束の対象決めを制御するための超音波処理コマンドを更に含み、前記超音波処理コマンドが、冷却期間により分けられた離散的な超音波処理期間内に前記対象ゾーンを超音波処理するように前記高強度集束超音波システムを制御し、前記マシン実行可能命令の実行が、更に、前記プロセッサに、前記冷却期間の少なくとも一部の間、前記第１の電気特性断層撮影データと前記第２の電気特性断層撮影データとを繰り返し獲得させる、請求項１３に記載のコンピュータプログラム。
【手続補正２】
【補正対象書類名】明細書
【補正対象項目名】００４５
【補正方法】変更
【補正の内容】
【００４５】
コンピュータ実行可能コードは、本発明の態様をプロセッサに行わせるマシン実行可能命令又はプログラムを含む。本発明の態様に関する動作を実施するためのコンピュータ実行可能コードは、Ｊａｖａ（登録商標）、Ｓｍａｌｌｔａｌｋ（登録商標）、又はＣ＋＋等のオブジェクト指向プログラミング言語及びＣプログラミング言語又は類似のプログラミング言語等の従来の手続きプログラミング言語を含む１つ又は複数のプログラミング言語の任意の組み合わせで書かれる及びマシン実行可能命令にコンパイルされる。場合によっては、コンピュータ実行可能コードは、高水準言語の形態又は事前コンパイル形態でもよいし、臨機応変にマシン実行可能命令を生成するインタプリタと共に使用されてもよい。